(57)【特許請求の範囲】
【請求項１】
複数の第一キーと、その第一キーを覆う開閉可能なカバー部材と、そのカバー部材に取り付けられる第二キーと、その第二キーと前記カバー部材との間に介装される弾性部材と、前記カバー部材の裏面に配置される係合片とを備えた操作パネルであって、
前記第二キーは、前記第二キーの裏面側から下方に突出する取付片と、前記第二キーの裏面側から下方に突出すると共に前記取付片の周囲に配置され、前記第一キーを押下する複数の支脚とを含み、
前記カバー部材には、前記取付片が貫通可能な取付孔と、前記支脚が摺動自在に貫通可能な支脚孔とが形成され、 前記取付片に前記係合片を係合させて前記第二キーが前記カバー部材に取り付けられた、操作パネル。
【請求項２】
前記取付片は、外形が略円柱状に形成されると共に先端に外側へ突出する突片が設られ、
前記係合片は、略円環板状に形成されると共に、内周部に平面視において位置及び形状を前記突片と合わせた切欠部を有し、所定の位置に前記突片と係合する係合凹部を有し、 前記取付片の外径と前記係合片の内径とが略同径に設定された、請求項１記載の操作パネル。
【発明の詳細な説明】
【０００１】
【発明の属する技術分野】
本発明は、ファクシミリ装置等の機器に設けられ、各種の操作キーを具備する操作パネルの構造に関する。
【０００２】
【従来の技術】
一般的に、ファクシミリ装置等の機器には、該機器の操作等を行うための、各種の操作キーが具備される操作パネルが設けられている。
該操作パネルに設けられる各種の操作キーには、複数の第一キーと、該第一キーを開閉可能に覆うカバー部材と、該カバー部材に設けられる第二キーとを備え、カバー部材が閉じた状態で第二キーを押下することにより、複数の第一キーの内、任意のキーを押下可能な構成のキー構造としたものがある。
例えば、ファクシミリ通信の際の相手先番号等を予め登録しておく複数のワンタッチキーを第一キーとして設け、該ワンタッチキーを覆うカバー部材に、コピーモードとファクシミリモードとの切り換えを行うモード切換キーを第二キーとして設けた構成のものがある。
【０００３】
【発明が解決しようとする課題】
前述の如く構成されるキー構造においては、カバー部材が第二キーを取り付ける基板として用いられているが、該第二キーを該カバー部材に組み付ける際には、第二キーに形成される孔をカバー部材に形成される突起に嵌合して該第二キーをカバー部材に装着した後に、第二キーの孔を貫通したカバー部材の突起の先端を、熱や超音波等により押し潰す等して、該第二キーをカバー部材に一体的に固定するようにしていた。
第二キーのカバー部材への取り付けが、このような構成とされていたため、第二キーをカバー部材に組み付ける際に熱処理等の特別な作業が必要であり、作業時間を多く要することとなっていた。
【０００４】
【課題を解決するための手段】
本発明は、給紙装置における以上のような課題を解決すべく、次のような手段を用いるものである。即ち、請求項１記載の発明においては、複数の第一キーと、その第一キーを覆う開閉可能なカバー部材と、そのカバー部材に取り付けられる第二キーと、その第二キーと前記カバー部材との間に介装される弾性部材と、前記カバー部材の裏面に配置される係合片とを備えた操作パネルであって、前記第二キーは、前記第二キーの裏面側から下方に突出する取付片と、前記第二キーの裏面側から下方に突出すると共に前記取付片の周囲に配置され、前記第一キーを押下する複数の支脚とを含み、前記カバー部材には、前記取付片が貫通可能な取付孔と、前記支脚が摺動自在に貫通可能な支脚孔とが形成され、前記取付片に前記係合片を係合させて前記第二キーが前記カバー部材に取り付けられる。
【０００５】
また、請求項２記載の発明においては、前記取付片は、外形が略円柱状に形成されると共に先端に外側へ突出する突片が設られ、前記係合片は、略円環板状に形成されると共に、内周部に平面視において位置及び形状を前記突片と合わせた切欠部を有し、所定の位置に前記突片と係合する係合凹部を有し、前記取付片の外径と前記係合片の内径とが略同径に設定されている。
【０００７】
【発明の実施の形態】
本発明の実施の形態を、添付の図面より説明する。図１は本発明の操作パネルが適用されるファクシミリ装置装置を示す斜視図、図２は操作パネルを示す平面図、図３は操作パネルのワンタッチキー及びモード切換キーが配置される部分を示す斜視図、図４は同じく側面断面図、図５はモード切換キーのワンタッチカバーへの装着状態を示す裏面側から見た斜視図、図６はモード切換キーをワンタッチカバーへ装着した状態を示す底面図である。
【０００８】
まず、本発明の操作パネルが適用される一例としての、ファクシミリ装置の概略構成について、図１により説明する。
ファクシミリ装置Ｆは、記録部１の上方に読取部２を配置して構成されており、該記録部１においては、記録装置３及び給紙カセット４がそれぞれ上下に収納され、給紙カセット４内に堆積される用紙を記録装置３へ給紙して記録した後に、記録紙排出トレイ５から排出するように構成している。
【０００９】
一方、読取部２においては、読取ケース１３内に原稿等の内容を読み取るための読取装置を収納しており、該読取ケース１３上面に載置された原稿を該読取装置により走査して、読み取りを行うようにしている
また、読取ケース１３の上方には、その一辺を中心として開閉可能に構成される原稿押えカバー７が配置され、該原稿押えカバー７により読取ケース１３上面に載置された原稿を上方から押えるものとしている。
【００１０】
さらに、原稿押えカバー７の一端部には原稿を自動的に給紙する自動給紙装置（ＡＤＦ装置）８が付設され、原稿供給トレイ９に載置した原稿を自動給紙装置８により一枚ずつピックアップして読取ケース１３上面の一端部へ搬送し、搬送されている原稿を読取装置によりその内容を読み取った後に、原稿押えカバー７の上面に形成される原稿排出トレイ１０へ排出するように構成している。
【００１１】
即ち、読取部２は、読取装置を走査させて静止原稿を読み取るフラットベッドタイプのスキャナとして用いるとともに、読取装置を位置固定して原稿を給送しながら読み取りを行うシートフィードタイプのスキャナとして用いることができるように構成されている。
【００１２】
また、読取ケース１３の一側方には操作パネル１５が付設され、該操作パネル１５の各種操作キーを操作することにより、原稿内容の読み取りを行ったり、読み取った内容をファクシミリ送信する際の送信先の設定を行ったり、受信内容や読み取った内容の記録装置３による記録を行ったり等の各種操作を行うようにしている。
【００１３】
次に、操作パネル１５について説明する。図２に示すように、操作パネル１５上には各種の操作キー等が設けられている。
例えば、原稿内容のファクシミリ送信やコピーを開始する際に操作するスタートキー２１、これらの動作を途中で停止する際に操作するストップキー２２、ファクシミリ送信先へダイヤルしたりコピー枚数を設定したりする際に操作するテンキー２３、ファクシミリモードやコピーモード等のモード切り換えを行う際に操作するモード切換キー２５、ファクシミリ装置Ｆの各種設定や操作の内容の選択・決定を行うカーソルキー２６、及びファクシミリ装置Ｆの動作状態や設定状態等を表示する表示器２７等が設けられている。
該モード切換キー２５は、操作パネル１５上へ開閉可能に取り付けられるワンタッチカバー２８に設けられている。
【００１４】
図３に示すように、ワンタッチカバー２８の下方における操作パネル１５面には、複数のワンタッチキー２９・２９・・・が設けられている。該ワンタッチキー２９・２９・・・は、ワンタッチカバー２８を閉じた状態では該ワンタッチカバー２８に覆われ、ワンタッチカバー２８を開くと外部に露出して操作することが可能となる。
【００１５】
該ワンタッチキー２９・２９・・・は、ワンタッチカバー２８が開いた状態で操作することにより、ファクシミリ送信の相手先を予め登録したり、複数の操作手順を予め登録したりすることができ、ファクシミリ送信等の操作をワンタッチで行うことを可能としている。
【００１６】
また、ワンタッチカバー２８を閉じると、該ワンタッチカバー２８から下方へ突出するセンサアーム２８ｃが、操作パネル１５に設けられる切換センサ３６を押圧して、各ワンタッチキー２９の機能等が切り換えられるようにしている。  さらに、ワンタッチカバー２８を閉じた状態でモード切換キー２５を押下操作すると、該モード切換キー２５により幾つかのワンタッチキー２９が押下されてオンされるように構成されている。
【００１７】
即ち、ワンタッチカバー２８を閉じることにより切換センサ３６が押圧されてオン状態になると、全てのワンタッチキー２９、又はモード切換キー２５に押下される幾つかのワンタッチキー２９が、ファクシミリモードとコピーモードとを切り換える機能を有するように切り換えられ、モード切換キー２５を押下することで、ファクシミリモードとコピーモードとの切り換えを行うことが可能となる。
【００１８】
このように、操作パネル１５においては、第一キーとしての複数のワンタッチキー２９、第二キーとしてのモード切換キー２５、及び、該モード切換キー２５が取り付けられる基板でありワンタッチキー２９を開閉可能に覆うワンタッチカバー２８が備えられ、ワンタッチカバー２８が閉じた状態でモード切換キー２５を押下操作することによりワンタッチキー２９を押下することが可能なキー構造が構成されている。
そして、このキー構造では、ワンタッチカバー２８を閉じた状態においては、モード切換キー２５の押下操作により押下されるワンタッチキー２９は、ファクシミリモードとコピーモードとを切り換える切換キーとして作用し、ワンタッチカバー２８が開いた状態では、それぞれのワンタッチキー２９は、様々な機能を登録可能な機能キーとして作用するといったように、該ワンタッチカバー２８の開閉状態によりワンタッチキー２９の機能が切り換えられるように構成されている。
【００１９】
次に、ワンタッチカバー２８、及び該ワンタッチカバー２８に取り付けられるモード切換キー２５の構成について説明する。  図４乃至図６に示すように、モード切換キー２５は、略円板状に形成されるキートップ２５ａと、該キートップ２５ａの下面略中央から下方へ突出する取付片２５ｃと、キートップ２５ａの下面から下方へ突出して取付片２５ｃの周囲に配置される複数の支脚２５ｂとで構成されている。取付片２５ｃの下端部には水平方向外側へ突出する突片２５ｄが形成されている。突片２５ｄは、例えば略１８０度位相をずらした２箇所に形成されている。
【００２０】
ワンタッチカバー２８には、取付片２５ｃ及び突片２５ｄが貫通可能な取付孔２８ａが形成され、該取付孔２８ａの周囲には、支脚２５ｂが貫通可能な支脚孔２８ｂが、支脚２５ｂの数と同じ数だけ形成されている。
取付片２５ｃ及び支脚２５ｂは、それぞれ取付孔２８ａ及び支脚孔２８ｂに上方から摺動自在に嵌入し、該取付片２５ｃ及び支脚２５ｂの下端部はワンタッチカバー２８の下面から下方へ突出している。
即ち、ワンタッチカバー２８には、取付片２５ｃ及び突片２５ｄを受容可能な取付孔２８ａ、及び支脚２５ｂを受容可能な複数の支脚孔２８ｂが形成されている。
【００２１】
複数の支脚孔２８ｂの内、一つの支脚孔２８ｂにおける円周方向の寸法は、支脚２５ｂの寸法と略同じに形成され、他の支脚孔２８ｂにおける円周方向の寸法は、支脚２５ｂの寸法よりも大きく形成されている。
この、円周方向の寸法が支脚２５ｂの寸法と略同じに形成される支脚孔２８ｂによって、モード切換キー２５の円周方向への回転を規制している。
【００２２】
ワンタッチカバー２８とモード切換キー２５との間には弾性部材３１が介装されており、例えば皿バネ状部材等の弾性片を取付片２５ｃに嵌装している。該弾性部材３１により、モード切換キー２５をワンタッチカバー２８に対して上方へ付勢している。
【００２３】
前記取付片２５ｃには、下方からロック片３４が、円周方向へ回転自在に嵌装されている。ロック片３４は略円環状に形成され、その内径は取付片２５ｃの外径と略同一径に形成されている。
ロック片３４の内周部には、位置及び形状を突片２５ｄと合わせた切欠部３４ａが形成され、ロック片３４を取付片２５ｃに嵌装する際には、突片２５ｄが切欠部３４ａを通過するようにしている。
即ち、ロック片３４には突片２５ｄを受容可能な切欠部３４ａが形成されている。
また、ロック片３４の内周部下面には、各切欠部３４ａと位相を略９０度ずらした位置に係合凹部３４ｂが形成されている。
【００２４】
そして、取付片２５ｃに嵌装したロック片３４の上下位置が、突片２５ｄとワンタッチカバー２８との間に位置しているときに、ロック片３４の切欠部３４ａと突片２５ｄとの位置が合った状態から該ロック片３４を略９０度回転させると、該突片２５ｄとロック片３４の係合凹部３４ｂとが係合する。
ロック片３４を突片２５ｄと係合させることで、ワンタッチカバー２８に嵌装され付勢部材３１により上方付勢されるモード切換キー２５が、該ワンタッチカバー２８から抜け出ることを防止し、該モード切換キー２５をワンタッチカバー２８に取付固定することができる。
尚、モード切換キー２５が付勢部材３１によってワンタッチカバー２８に対して上方に付勢されていることにより、ロック片３４の係合凹部３４ｂと突片２５ｄとの係合状態が保持されている。
【００２５】
このように、ワンタッチカバー２８に取付固定されたモード切換キー２５においては、ワンタッチカバー２８を閉じた状態では、図４に示すように、各脚部２５ｂが、それぞれ何れかのワンタッチキー２９に当接又は近接しており、モード切換キー２５のキートップ２５ａを押下すると、該脚部２５ｂに当接する全てのワンタッチキー２９又は何れかのワンタッチキー２９が、押下されてオンされることとなる。
また、ワンタッチカバー２８を閉じた状態では、ワンタッチキー２９の機能等が切り換えられ、脚部２５ｂに当接するワンタッチキー２９又は全てのワンタッチキー２９が、ファクシミリモードとコピーモードとを切り換える機能を有するキーとなる。
【００２６】
これにより、ワンタッチカバー２８を閉じた状態でモード切換キー２５のキートップ２５ａを押下することにより、ファクシミリモードとコピーモードとの切り換えを行うことが可能となっている。
尚、ワンタッチカバー２８とモード切換キー２５との間には付勢部材が介在しているので、モード切換キー２５を押下操作した後は、該モード切換キー２５が自力で復元可能である。
また、複数のワンタッチキー２９を覆うワンタッチカバー２８にモード切換キー２５を設けて、該モード切換キー２５とワンタッチキー２９とを上下に配置し、該モード切換キー２５を押下操作することによりワンタッチキー２９を押下可能とすることで、モード切換キー２５及びワンタッチキー２９を配置するスペースを減少して、操作パネル１５の小型化を図っている。
【００２７】
次に、以上の如く構成されるワンタッチカバー２８にモード切換キー２５を組み付ける際の手順について説明する。
モード切換キー２５をワンタッチカバー２８に組み付ける際には、まず、モード切換キー２５の取付片２５ｃ及び脚部２５ｂを、それぞれワンタッチカバー２８の取付孔２８ａ及び支脚孔２８ｂに表面側から挿入し、突片２５ｄが形成される該取付片２５ｃの先端部をワンタッチカバー２８の裏面側へ突出させる。この場合、モード切換キー２５とワンタッチカバー２８との間には付勢部材３１を介装しておく。
次に、突片２５ｄと切欠部３４ａとの位置を合わせてロック片３４を取付片２５ｃに嵌装し、ロック片３４が突片２５ｄとワンタッチカバー２８との間に位置した状態で、該ロック片３４を円周方向へ略９０度回転させると、突片２５ｄとロック片３４の係合凹部３４ｂとが係合して、モード切換キー２５がワンタッチカバー２８に取付固定され、組み付けが完了する。
【００２８】
このように、モード切換キー２５をワンタッチカバー２８に嵌合して、取付片２５ｃにロック片３４を装着するだけで、該モード切換キー２５のワンタッチカバー２８への組み付けを行うことができ、工具等を用いることなく、少ない組付工数で容易に組付作業を行うことが可能となって、作業効率を向上することができる。
【００２９】
また、モード切換キー２５の突片２５ｄとワンタッチカバー２８との間には、該突片２５ｄと係合可能な係合片であるロック片３４を設けているので、ワンタッチカバー２８に取り付けられたモード切換キー２５が、該ワンタッチカバー２８から脱落することを防止することができ、組付状態を安定的に保持することができる。
さらに、ロック片３４には、例えば突片２５ｄが通過可能な切欠部３４ａから略９０度位相がずれた位置等の所定の位置に、突片２５ｄと係合する係合凹部３４ｂが形成されているので、モード切換キー２５のワンタッチカバー２８への取付固定、及び該モード切換キー２５の脱落防止を、容易に行うことができる。
尚、ロック片３４は、取付片２５ｃに係合可能な円環状部材だけでなく、例えば、取付片２５ｃへネジ込むことによりモード切換キー２５のワンタッチカバー２８への固定を可能とするネジ込み式の部材や、取付片２５ｃに挿入可能な割ピン形状の部材等、モード切換キー２５とワンタッチカバー２８とを一体化しない取付部材であればよい。
【００３０】
また、本例においては、ファクシミリ装置Ｆに適用される操作パネル１５を例として説明したが、これに限定するものではなく、複数種類の操作キーを有する各種機器の操作パネルに適用することもできる。
【００３１】
【発明の効果】
本発明は、操作パネルにおいて、以上のような構成とすることで、次のような効果を奏する。まず、請求項１の如く、複数の第一キーと、その第一キーを覆う開閉可能なカバー部材と、そのカバー部材に取り付けられる第二キーと、その第二キーとカバー部材との間に介装される弾性部材と、カバー部材の裏面に配置される係合片とを備えた操作パネルであって、第二キーは、第二キーの裏面側から下方に突出する取付片と、第二キーの裏面側から下方に突出すると共に取付片の周囲に配置され、第一キーを押下する複数の支脚とを含み、カバー部材には、取付片が貫通可能な取付孔と、支脚が摺動自在に貫通可能な支脚孔とが形成され、取付片に係合片を係合させて第二キーがカバー部材に取り付けられるので、第二キーの位置固定を簡単な作業で容易に行うことができ、特別な作業を必要とせず、少ない組付工数で容易に組付作業を行うことが可能となって、作業効率を向上することができる。
また、第二キーがカバー部材から脱落することを防止することができ、両者の組付状態を安定的に保持することができる。
【００３２】
更に、請求項２の如く、取付片は、外形が略円柱状に形成されると共に先端に外側へ突出する突片が設られ、係合片は、略円環板状に形成されると共に、内周部に平面視において位置及び形状を前記突片と合わせた切欠部を有し、所定の位置に突片と係合する係合凹部を有し、取付片の外径と係合片の内径とが略同径に設定されているので、係合片の係合凹部を突片に係合させることで、カバー部材に嵌装され弾性部材により上方付勢される第二キーが、カバー部材から抜け出ることを防止し、第二キーをカバー部材に取付固定することができる。したがって、カバー部材に取り付けられた第二キーの位置固定を簡単な作業で更に容易に行うことができ、特別な作業を必要とせず、少ない組付工数で容易に組付作業を行うことが可能となって、作業効率を向上することができる。
また、第二キーがカバー部材から脱落することを更に防止することができ、両者の組付状態を更に安定的に保持することができる。
【図面の簡単な説明】
【図１】本発明の操作パネルが適用されるファクシミリ装置装置を示す斜視図である。
【図２】操作パネルを示す平面図である。
【図３】操作パネルのワンタッチキー及びモード切換キーが配置される部分を示す斜視図である。
【図４】同じく側面断面図である。
【図５】モード切換キーのワンタッチカバーへの装着状態を示す裏面側から見た斜視図である。
【図６】モード切換キーをワンタッチカバーへ装着した状態を示す底面図である。
【符号の説明】
Ｆ  ファクシミリ装置
１５  操作パネル
２５  モード切換キー（第二キー）
２５ｂ  支脚
２５ｃ  取付片
２５ｄ  突片
２８  ワンタッチカバー（第二キーの基板）
２８ａ  取付孔
２８ｂ  支脚孔
２９  ワンタッチキー（第一キー）
３１  付勢部材
３４  ロック片
３４ａ  切欠部
３４ｂ  係合凹部
【図１】
0004013451.tif 000002
【図２】
0004013451.tif 000003
【図３】
0004013451.tif 000004
【図４】
0004013451.tif 000005
【図５】
0004013451.tif 000006
【図６】
0004013451.tif 000007